(57)【要約】      （修正有）【課題】体動下における車両の乗員の心電図波形を正確に計測することが可能な心電図波形計測装置を提供する。【解決手段】車両の乗員の皮膚表面に直接接触する第１の電極２と、車両のシート１１に取り付けられ、乗員の皮膚表面と衣服を介して接触する第２の電極と、第１の電極２により検出される電気信号と第２の電極により検出される電気信号とを処理して心電図波形を算出する心電図波形算出装置４とを備える。第２の電極は、乗員に接触する接触面積が互いに異なる２つの容量結合型電極３０，３１からなる。心電図波形算出装置４は、各容量結合型電極３０，３１により検出された電気信号に基づき算出された２つの心電図波形を用いて、該心電図波形に混入した乗員の体動に起因する体動ノイズを除去し、体動ノイズを除去した乗員の心電図波形を特定する。【選択図】図１
2012040241.tif 000002
【特許請求の範囲】
【請求項１】
車両の乗員の皮膚表面に直接接触する第１の電極と、
車両のシートに取り付けられ、乗員の皮膚表面と衣服を介して接触する第２の電極と、
前記第１の電極により検出される電気信号と前記第２の電極により検出される電気信号とを処理して心電図波形を算出する心電図波形算出手段とを備え、
前記第２の電極は、乗員に接触する接触面積が互いに異なる２つの容量結合型電極からなり、
前記心電図波形算出手段は、前記各容量結合型電極により検出された電気信号に基づき算出された２つの心電図波形を用いて、該心電図波形に混入した乗員の体動に起因する体動ノイズを除去し、体動ノイズを除去した乗員の心電図波形を特定する心電図波形計測装置。
【請求項２】
前記各容量結合型電極は、導電糸または導電繊維糸を織り込んだ導電布により構成されている請求項１に記載の心電図波形計測装置。
【請求項３】
前記各容量結合型電極のうち、相対的に面積が小さい方の電極は面積が大きい方の電極に囲まれるように配置されている請求項１または２に記載の心電図波形計測装置。
【請求項４】
前記第１の電極は、ステアリングホイールに取り付けられる請求項１〜３のいずれかに記載の心電図波形計測装置。
【発明の詳細な説明】
【技術分野】
【０００１】
本発明は、車両の乗員の心電図波形を計測する心電図波形計測装置に関する。
【背景技術】
【０００２】
日常生活において、自動車は必要不可欠な移動手段の一つとなっている。しかし、自動車の普及に伴い、自動車による交通事故が増加している。特に、近年、ドライバーの居眠り運転などによる交通事故の増加が顕著となっている。そこで、ドライバーの居眠り運転による交通事故を防止するために、運転中のドライバーの生体情報をセンサにより検出し、この検出した生体情報を用いてドライバーの覚醒度を推定することで、運転中におけるドライバーの覚醒状態を監視することが試みられている。
【０００３】
例えば、ドライバーの身体電位を測定する電極を用いてドライバーの心電図波形を計測し、計測された心電図波形を分析してドライバーの覚醒度を推定することが従来から行われている。そのため、ドライバーの心電図波形を車両において計測する技術について研究が進められている。
【０００４】
心電図波形を車両において計測する装置の一例として、例えば車両のステアリングホイールに電極を形成してドライバーの手の電位を検出するとともに、車両のシートに容量結合型電極を取り付けてドライバーの臀部の電位を検出し、これらの電位差から心電図波形を計測する心電図計測装置が知られている（例えば、特許文献１参照）。この特許文献１に記載の心電図波形計測装置によれば、運転中のドライバーの心電図波形を、継続的にかつ正確に把握することが可能となっている。
【先行技術文献】
【特許文献】
【０００５】
【特許文献１】特開２０１０−４６３１０号公報
【発明の概要】
【発明が解決しようとする課題】
【０００６】
しかしながら、上記特許文献１に記載の心電図波形計測装置に対し、本発明者らがさらに検討を進めた結果、心電図波形を計測する際に、運転中のドライバーが動くと、このドライバーの体動に伴うノイズ（体動ノイズ）が計測される心電図波形に混入するおそれがあることがわかった。この体動ノイズの影響を心電図波形から除去することで、計測される心電図波形をより一層正確なものとすることができるため、上記特許文献１に記載の心電図波形計測装置は、さらに改良する余地がある。
【０００７】
本発明は、上記した問題に着目してなされたもので、車両の乗員の心電図波形を、より正確に計測することが可能な心電図波形計測装置を提供することを目的とする。
【課題を解決するための手段】
【０００８】
本発明の前記目的は、車両の乗員の皮膚表面に直接接触する第１の電極と、車両のシートに取り付けられ、乗員の皮膚表面と衣服を介して接触する第２の電極と、前記第１の電極により検出される電気信号と前記第２の電極により検出される電気信号とを処理して心電図波形を算出する心電図波形算出手段とを備え、前記第２の電極は、表面積が互いに異なる２つの容量結合型電極からなり、前記心電図波形算出手段は、前記各容量結合型電極により検出された電気信号に基づき算出した２つの心電図波形を用いて、該心電図波形に混入した乗員の体動に起因する体動ノイズを除去し、体動ノイズを除去した乗員の心電図波形を特定する心電図波形計測装置により達成される。
【０００９】
本発明の好ましい実施態様においては、前記各容量結合型電極は、導電糸または導電繊維糸を織り込んだ導電布により構成されていることを特徴としている。
【００１０】
本発明のさらに好ましい実施態様においては、前記各容量結合型電極のうち、相対的に表面積が小さい方の電極は表面積が大きい方の電極に囲まれるように配置されていることを特徴としている。
【００１１】
本発明のさらに好ましい実施態様においては、前記第１の電極は、ステアリングホイールに取り付けられることを特徴としている。
【発明の効果】
【００１２】
本発明の心電図波形計測装置によれば、運転中に車両の乗員が体動により動いても、車両の乗員の心電図波形を正確に計測することが可能である。
【図面の簡単な説明】
【００１３】
【図１】本発明の一実施形態に係る心電図波形計測装置の概略構成を示す図である。
【図２】第１の電極をステアリングホイールに取り付けた例の構成を示す図である。
【図３】車両のシートに第２の電極を取り付ける構成を例示する図である。
【図４】他の実施形態の第２の電極の構成を示す図である。
【図５】図１の回路図である。
【図６】安静座位状態において各電極により得られる原心電図波形の計測図である。
【図７】ドライバーの体動下において各電極により得られる原心電図波形の計測図である。
【図８】体動ノイズを除去したドライバーの心電図波形である。
【図９】アクティブ電極の構成を示す断面図である。
【図１０】他の実施形態によって形成される仮想的な回路構成を示す図である。
【図１１】アクティブ電極の他の構成を示す断面図である。
【発明を実施するための形態】
【００１４】
以下、本発明の実施の形態について添付図面を参照して説明する。図１は、本発明の一実施形態に係る心電図波形計測装置１の概略構成を示す。図示例の心電図波形計測装置１は、主要な構成として、導電性を有する第１の電極２および第２の電極３と、心電図波形算出装置４とを備える。なお、以下の説明において、心電図波形計測装置１は、車両のドライバーの心電図波形を計測する装置として説明するが、本発明に係る心電図波形計測装置はドライバー以外の他の乗員にも適用可能である。
【００１５】
第１の電極２は、ドライバーの皮膚表面に直接接触して、ドライバーの身体電位を検出するための電極であり、例えばクロムメッキ樹脂により形成される。この第１の電極２は、図２に示すように、例えば車両のステアリングホイール１０の外周面に取り付けられる。なお、これに限らず、シフトレバーなど、ドライバーが頻繁に触れる他の場所に第１の電極２を取り付けるようにしてもよい。また、ドライバー以外の乗員の心電図波形を計測する場合には、第１の電極２は、例えばセンターコンソール上部やドアの内側に設けられた操作部などに取り付けるのが好ましい。第１の電極２は、グランド端子１２に接続されている。
【００１６】
第２の電極３は、ドライバーの皮膚に直接接触されるものではなく、ドライバーの衣服を誘電体として用い、この誘電体としての衣服を挟んだ状態でドライバーの皮膚に接触される。この第２の電極３は、車両のシート１１に取り付けられ、ドライバーの臀部との間で仮想的なコンデンサ３２，３３（図５に示す）を形成し、第２の電極３とドライバーの臀部との間の静電容量結合によって、ドライバーの身体電位を検出するための容量結合型電極として機能する。
【００１７】
第２の電極３は、サイズの異なる２つの容量結合型電極からなり、表面積が相対的に小さく、ドライバーに接触する接触面積の小さい小型電極３０と、表面積が相対的に大きく、ドライバーに接触する接触面積の大きい大型電極３１とで構成されている。各電極３０，３１には、信号線３２Ａ，３３Ａが接続されており、ドライバーの身体電位の変動に応じて変動する容量結合型電極３０，３１の電位を心電図波形算出装置４に伝達している。
【００１８】
図３は、車両のシート１１に第２の電極３を取り付ける態様を例示した図である。第２の電極３は、例えば、図３（Ａ）に示すように、シート１１の表皮１１Ａとクッション１１Ｂの間に挿入された板状電極３４により構成されていてもよい。また、図３（Ｂ）に示すように、シート１１の表皮１１Ａに編み込まれた金属ファイバーなどの網状電極３５により構成されていてもよい。
【００１９】
また、図４に示すように、導電性を有する導電糸または導電繊維糸を用いて織った導電布により、第２の電極３を構成するようにしてもよい。なお、導電糸とは、銅、銀、ステンレスなどの微細単線を繊維と撚り合わせて作った導電性を持つ糸のことをいい、また、導電繊維糸とは、ポリエステルなどの微細糸に銅・銀・金などのメッキを施し、他の糸と撚り合わせて繊維の糸としたもののことをいう。第２の電極３を可撓性のある導電布電極３６により構成することにより、第２の電極３がドライバーの臀部と密着するようになる。
【００２０】
図４に示す第２の電極３は、ほぼ同じ大きさ（表面積）を有する２５個の導電布電極３６により構成されており、本実施形態では、その中の２１個の導電布電極３６Ｂが電気的に接続されて大型電極３１を形成しているとともに、残りの４個の導電布電極３６Ａが電気的に接続されて小型電極３０を形成している。小型電極３０は、大型電極３１に囲まれるように配置されており、これにより、小型電極３０と大型電極３１とが密に近接し、詳細は後述するが、ドライバーの運転中の体動により、２つの電極３０，３１に与えられる影響が類似するようになっている。なお、小型電極３０および大型電極３１の配置は、これに限られるものではなく、例えば、両者が並列に並べられても構わない。また、小型電極３０および大型電極３１のサイズの大きさは、構成する導電布電極３６Ａ，３６Ｂの数を変更することにより、適宜変更が可能である。
【００２１】
図５は、図１の等価回路を示す回路図である。信号線３２Ａ，３３Ａには、抵抗４０，４０を介してグランド端子１２，１２がそれぞれ接続されている。これによって、ドライバーの身体電位を入力とした仮想的な回路が形成される。この回路構成は、ハイパスフィルタまたはバンドパスフィルタとして機能する。
【００２２】
心電図波形算出装置４は、ボルテージフォロワ４２，４２と、コンデンサ４３，４３と、増幅回路４４，４４と、マイクロコンピュータ４５と、記憶装置４６とを有する。なお、これらの構成は、オペアンプなどによる置換が可能である。
【００２３】
各ボルテージフォロワ４２の入力端子（＋側）４２Ａには、信号線３２Ａ，３３Ａがそれぞれ接続されており、小型電極３０および大型電極３１の電位がそれぞれ電気信号として入力される。また、各ボルテージフォロワ４２の入力端子（−側）４２Ｂは、ボルテージフォロワ４２の出力端子４２Ｃからのフィードバックが入力される。各ボルテージフォロワ４２は、上記構成によって、電流の入力を抑制しつつ、小型電極３０および大型電極３１からの電気信号を出力端子４２Ｃに伝達することができるようになっている。
【００２４】
各コンデンサ４３は、抵抗４１，４１とともに、ハイパスフィルタまたはバンドパスフィルタの機能を実現する。増幅回路４４，４４は、各コンデンサ４３および抵抗４１によって低周波成分がカットされた電気信号を増幅して、マイクロコンピュータ４５に出力する。
【００２５】
マイクロコンピュータ４５は、各増幅回路４４から入力された電気信号をそれぞれ処理することにより、心電図波形を算出する。ここで、ドライバーが運転中に安静座位状態にあるときには、算出される心電図波形の波形形状は、図６に示すように、ほぼ正確な形状のものとなる（なお、図６において、上段が、大型電極３１による心電図波形、下段が、小型電極３０による心電図波形、をそれぞれ示している）。これに対して、ドライバーの運転中のアクセルやブレーキ操作などに起因して、ドライバーの身体が運転中に動くと、このドライバーの体動により、運転者の皮膚（臀部）と第２の電極３との間の接触状態（生体−電極間の接触圧）が変動し、これが大きなノイズ（体動ノイズ）となって、心電図波形に混入する。そのために、図７に示すように、ドライバーの身体が運転中に動くと、正確な心電図波形を計測することが不可能となるおそれがある（なお、図７において、上段が、大型電極３１による心電図波形、下段が、小型電極３０による心電図波形、をそれぞれ示している）。
【００２６】
このように、第２の電極３として容量結合型電極を用いた心電図波形計測では、第２の電極３をドライバーの皮膚に直接貼り付ける必要がないため、ドライバーの心電図波形を無拘束で計測することが可能であるが、運転中のドライバーの体動により、ドライバーの心電図波形の計測が不可能となる場合がある。そのため、運転中にドライバーの体動が生じても、体動ノイズの影響を除去した正確な心電図波形を計測する必要があるところ、本発明者らは、第２の電極３として、サイズの異なる２つの容量結合型電極を用いることにより、算出される心電図波形（以下、「原心電図波形」という。）から体動ノイズの影響を除去することが可能であることを見出した。
【００２７】
つまり、安静座位状態下において第２の電極３から得られる電気信号は、大部分がドライバーの身体内部の心電図信号（ＥＣＧ信号）に起因するものであるため、高精度の心電図波形の計測が可能となっているところ、図６を参照すると、大型電極３１から得られる原心電図波形と小型電極３０から得られる原心電図波形とを比較すれば、基本的な波形の形状は同じであるが、大型電極３１により得られる原心電図波形の波形出力Ｖの方が、小型電極３０により得られる原心電図波形の波形出力Ｖよりも大きな値をとることが確認された。つまり、ドライバーの身体内部の心電図信号に基づく波形出力（Ｒ波とＳ波の電位差。以下、「心電図波形出力」という。）をＥＣＧとすると、ＥＣＧ１（大型電極３１による心電図波形出力）＞ＥＣＧ２（小型電極３１による心電図波形出力）であること、つまり、ＥＣＧ１／ＥＣＧ２＞１であることが確認された。
【００２８】
これは、安静座位状態下における原心電図波形の波形出力Ｖ（ＥＣＧ１，ＥＣＧ２）は、各電極３０，３１とドライバーの臀部との間で形成されるコンデンサ３２，３３の静電容量値に比例するところ、静電容量値は、各電極３０，３１のドライバーの臀部との接触面積に比例するため、各電極３０，３１のサイズが原心電図波形の波形出力Ｖ（ＥＣＧ１，ＥＣＧ２）に比例すると考えられる。
【００２９】
これに対して、ドライバーの体動下において第２の電極３から得られる電気信号は、上記した心電図信号（ＥＣＧ）に、ドライバーの体動に起因する体動ノイズが混入したものであるところ、図７を参照すると、大型電極３１から得られる原心電図波形と小型電極３０から得られる原心電図波形とを比較すれば、基本的な波形の形状は同じであるが、大型電極３１により得られる原心電図波形の波形出力Ｖの方が、小型電極３０により得られる原心電図波形の波形出力Ｖよりも小さな値をとることが確認された。つまり、体動ノイズに基づく波形出力（以下、「ノイズ波形出力」という。）をＮｏｉｓｅとすると、ＥＣＧ１＋Ｎｏｉｓｅ１（大型電極３１によるノイズ波形出力）＜ＥＣＧ２＋Ｎｏｉｓｅ２（小型電極３０によるノイズ波形出力）であることが確認された。これにより、心電図波形に与える体動ノイズの影響は、大型電極３１よりも小型電極３０の方が大きいこと、つまり、Ｎｏｉｓｅ１＜Ｎｏｉｓｅ２（Ｎｏｉｓｅ１／Ｎｏｉｓｅ２＜１）であることを本発明者らは見出した。
【００３０】
そして、上記したように、電極３０，３１のサイズの違いに基づき検出される心電図波形出力の比率（ＥＣＧ１／ＥＣＧ２）とノイズ波形出力の比率（Ｎｏｉｓｅ１／Ｎｏｉｓｅ２）とは同倍率にはならないという知見に基づき、サイズが異なる大型電極３１および小型電極３０から得られる原心電図波形を算術処理することで、原心電図波形から体動ノイズの影響を除去することが可能であることを見出した。
【００３１】
具体的には、安静座位状態の大型電極３１から得られる原心電図波形と小型電極３０から得られる原心電図波形とを比較し（図６参照）、２つの原心電図波形の相互相関係数を演算する。これにより、相互相関係数が最大になるときを見出して、その最大になる時間τを用いて大型電極３１により得られる原心電図波形と小型電極３０により得られる原心電図波形との時間差を算出する。図示例では、時間差τはτ＝０．００５秒となった。
【００３２】
次に、ドライバーの体動下における大型電極３１により得られる原心電図波形と小型電極３０により得られる原心電図波形とを比較し（図７参照）、体動ノイズの影響が生じている領域（図示例では、３．２秒〜７．０秒の領域）において、両原心電図波形の波形出力Ｖの比率を演算する。本実施形態では、各原心電図波形におけるピークおよびボトムの振幅値の最大値同士を比較して、大型電極３１から得られる原心電図波形の波形出力Ｖ（ＥＣＧ１＋Ｎｏｉｓｅ１）と小型電極３０から得られる原心電図波形の波形出力Ｖ（ＥＣＧ２＋Ｎｏｉｓｅ２）との比率α（（ＥＣＧ１＋Ｎｏｉｓｅ１）／（ＥＣＧ２＋Ｎｏｉｓｅ２））を算出した。図示例では、比率αはα＝０．５２となった。なお、両原心電図波形の波形出力Ｖの比率αの算出方法は、上記した方法に限られるものではなく、体動ノイズの影響が生じている領域における原心電図波形の各振幅値の平均値を比較したりするなど、種々の方法により算出することができる。
【００３３】
最後に、下記数式（１）に基づき、大型電極３１から得られる原心電図波形の波形出力Ｖ（ＥＣＧ１＋Ｎｏｉｓｅ１）および小型電極３０から得られる原心電図波形の波形出力Ｖ（ＥＣＧ２＋Ｎｏｉｓｅ２）の差を計算することで、体動ノイズの影響が除去されたドライバーの心電図波形の波形出力ＥＣＧを導出する。つまり、下記数式（１）において、体動ノイズに基づく波形出力Ｎｏｉｓｅ１，Ｎｏｉｓｅ２は、心電図信号に基づく波形出力ＥＣＧ１，ＥＣＧ２と比較すると十分に大きいために、比率αは以下の数式（２）のように近似できる。
【００３４】
【数１】
2012040241.tif 000003
【００３５】
【数２】
2012040241.tif 000004
【００３６】
上記数式（２）を用いると、上記数式（１）は以下の数式（３）のように近似できる。
【００３７】
【数３】
2012040241.tif 000005
【００３８】
このように、本実施形態の心電図波形計測装置１によれば、運転中にドライバーがアクセル操作やブレーキ操作などにより動いても、体動ノイズの影響を除去した心電図波形を計測することが可能となっている。
【００３９】
マイクロコンピュータ４５は、上記した方法により計測されたドライバーの心電図波形を所定周期でサンプリングし、時系列波形データとして記憶装置４６に記憶させる。記憶装置４６は、例えばフラッシュメモリであり、記憶装置４６に記憶された心電図波形を表示、印刷などすることで、ドライバーの運転中の心電図波形を確認することが可能となる。
【００４０】
以上、上記した構成の心電図波形計測装置１によれば、ドライバーの運転中の心電図波形を継続的に計測することができる。つまり、ドライバーが運転中に第１の電極２に全く触れない状態は極めて稀であり、また、ドライバーがシート１１に着座している以上、シート１１に取り付けられた容量結合型電極よりなる第２の電極３によってドライバーの身体電位を継続的に検出可能だからである。
【００４１】
また、第２の電極３をドライバーの皮膚に直接貼り付ける必要がないため、ドライバーの心電図波形を無拘束で計測することができる。
【００４２】
さらに、ドライバーの心電図波形を正確に計測することができる。つまり、第２の電極３として、１つの容量結合型電極により心電図波形を得る場合、運転中のドライバーの体動に起因する体動ノイズが、計測される心電図波形に混入するおそれがあり、正確な心電図波形の計測が困難となる場合がある。本実施形態では、第２の電極３として、サイズ（表面積）の異なる２つの容量結合型電極（小型電極および大型電極）３０，３１を用いて心電図波形を計測し、計測された２つの心電図波形を比較することにより、該心電図波形に混入した体動ノイズの影響を除去することが可能となった。これにより、運転中にドライバーの体動が生じても、ドライバーの心電図波形を、正確に計測することができる。
【００４３】
以上、本発明の一実施形態について説明したが、本発明の具体的な態様は、上記実施形態に限定されるものではない。例えば、第２の電極３として、容量結合型電極と増幅回路とが一体形成されたアクティブ電極５を用いることも可能である。なお、その他の構成、すなわち、第１の電極２、マイクロコンピュータ４５、記憶装置４６については第１実施形態と同様である。
【００４４】
図９は、アクティブ電極５の構成を示す断面図である。アクティブ電極５は、基板５０の一方の面に、増幅回路としてオペアンプ５１が実装されているとともに、基板５０のオペアンプ５１とは反対の側の他方の面に、例えば平板状の銅板からなる容量結合型電極５２が実装されている。容量結合型電極５２およびオペアンプ５１は、基板５０に形成されたスルーホール（図示せず）に挿入したリーディングワイヤ（図示せず）によって接続されている。また、基板５０のオペアンプ５１と同じ側の面には、オペアンプ５１への電界の影響を排除するとともに物理的強度を維持するためのシールド用電極５３が取り付けられている。基板５０は、例えばエポキシ樹脂などの絶縁樹脂により覆われており、その大部分がモールド樹脂５４に封入されることで、容量結合型電極５２以外の他の部品にショートなどのトラブルが発生しないようになっている。なお、容量結合型電極５２については、少なくともその表面５２Ａは樹脂モールドされておらず、外部に露出するようになっている。
【００４５】
図１０は、上記構成によって形成される仮想的な回路構成を示す図である。図中、Ｖｓは、ドライバー身体における電位差（手と臀部との電位差）である。ＣＥは、ドライバー身体と容量結合型電極５２とで形成される仮想的なコンデンサの容量である。Ｒｇは、ドライバー身体の体動に起因して生じる静電気を放出するための抵抗である。Ｃｇは、容量結合型電極５２とシールド用電極５３とで形成される仮想的なコンデンサの容量である。Ｒｏｐ、Ｃｏｐは、それぞれオペアンプ５１の入力抵抗、入力容量である。
【００４６】
上記仮想的な回路構成のゲインＧ（Ｓ）は、次式（４）で与えられる。本式が示す通り、この回路構成はハイパスフィルタとして機能し、そのカットオフ周波数は、４つのパラメータＣＥ、Ｃｇ、Ｃｏｐ、Ｒｇによって決定される。
【００４７】
【数４】
2012040241.tif 000006
【００４８】
本実施形態によれば、オペアンプ５１と容量結合型電極５２とが一体化されるため、よりコンパクトなハードウエアを実現することができる。なお、アクティブ電極５０は、シールド用電極５３を有さない構成としてもよい。また、図１１に示すように、基板５０は、容量結合型電極５２およびオペアンプ５１を含む全体がエポキシ樹脂によりモールドされていてもよい。これによると、容量結合型電極５２がモールド樹脂５４内に完全に封入されるので、容量結合型電極５２が外力や摩耗などによる経年変化で劣化して計測精度に影響を及ぼすおそれも少なく、また、高寿命を得ることもできる。
【符号の説明】
【００４９】
１    心電図波形計測装置
２    第１の電極
３    第２の電極
４    心電図波形算出装置
１０  ハンドル
１１  シート
３０  小型電極
３１  大型電極
【図１】
2012040241.tif 000007
【図２】
2012040241.tif 000008
【図３】
2012040241.tif 000009
【図４】
2012040241.tif 000010
【図５】
2012040241.tif 000011
【図６】
2012040241.tif 000012
【図７】
2012040241.tif 000013
【図８】
2012040241.tif 000014
【図９】
2012040241.tif 000015
【図１０】
2012040241.tif 000016
【図１１】
2012040241.tif 000017